(57)【特許請求の範囲】
【請求項１】
複数の槽構成体を接合して形成される排水処理槽と、該排水処理槽を複数の領域に仕切る構成となっており、この排水処理槽内に取付けられる仕切壁部材とを備え、この排水処理槽内に排水を受け入れて処理する排水処理装置であって、
前記槽構成体の所定の接合部において槽構成体同士が対向する位置に空間部が形成され、前記仕切壁部材にはこの空間部に嵌合する突出部が設けられ、前記空間部は接着剤及び前記突出部によって埋められて漏水の発生が防止される構成となっていることを特徴とする排水処理装置。
【請求項２】
請求項１に記載の排水処理装置であって、
前記仕切壁部材は、その両端を折り返した形状の折返し部を備えたことを特徴とする排水処理装置
【発明の詳細な説明】
【０００１】
【発明の属する技術分野】
本発明は、排水処理槽内に排水を受け入れて処理する排水処理装置に係り、詳しくは排水処理槽内に内装部材を取付ける技術に関する。
【０００２】
【従来の技術】
従来、例えば一般家庭から排出された家庭用排水を処理する排水処理槽においては、排水処理槽の内部を処理機構別に仕切る仕切壁部材（内装部材）を設けた構成が一般的である。この排水処理槽は、例えばいずれも槽状に形成された上槽および下槽の各フランジ部を互いに重ね合わせ所定の接着剤で接合した構成を有する。図５に示すような縦断面構造を有する排水処理槽では、内装部材の１つである仕切壁部材２６０を排水処理槽の内部に取付ける前に、上槽壁部２２１から延びる上槽フランジ部２２２と、下槽壁部２３１から延びる下槽フランジ部２３２が対向する位置に空間部２７０が形成される。仕切壁部材２６０を排水処理槽の内部に取付ける際に、この空間部２７０に所定の接着剤Ｃを流し込み、空間部２７０を接着剤Ｃで埋めることによって排水処理槽の内部における漏水の発生を防止するようになっている。
【０００３】
【発明が解決しようとする課題】
しかしながら上記のような排水処理槽では、空間部２７０の容積を小さくするのに限界があるため過剰な量の接着剤Ｃが必要になるという問題がある。とりわけ、空間部２７０には漏水の要因になり得る隙間２７１が形成され易く、この隙間２７１を埋めるために過剰の接着剤Ｃを必要とする。また、このような構成では、接着剤Ｃの接着効果のみによって漏水の発生を防止する必要があるため、漏水防止の効果が不十分になり易いという問題を抱えている。
そこで、本発明は、以上のような点に鑑みてなされたものであり、排水処理槽内に排水を受け入れて処理する排水処理装置において、排水処理槽内に内装部材を合理的に取付けるのに有効な技術を提供することを課題とする。
【０００４】
【課題を解決するための手段】
前記課題を解決するために、本発明の排水処理装置は請求項１，２に記載の通りに構成される。また、本発明の排水処理装置における内装部材の取付け方法は後述の通りである。なお、これら各請求項に係る発明は、複数の槽構成体が接合された排水処理槽と、この排水処理槽内に取付けられる仕切壁部材とを備えた排水処理装置において、槽構成体の所定の接合部において槽構成体同士が対向する位置に空間部を形成させ、仕切壁部材にこの空間部に嵌合する突出部を設けることで、排水処理槽内に仕切壁部材を合理的に取付けることができるようにした技術である。
【０００５】
本発明に係る排水処理装置では、排水処理槽内に内装部材が設けられている。排水処理槽は、複数の槽構成体を接合することで形成されている。この槽構成体には、槽状ないし円筒状のものを用いる。例えば、いずれも槽状に形成された上槽と下槽とを互いに接合することで排水処理槽が形成される。ここでいう、「内装部材」とは、排水処理槽に内蔵される処理機構部を例えば機能別に仕切る仕切壁部材をはじめ、その他、排水処理槽内に装着される各種の部材を広く含む主旨である。排水処理槽内へ受け入れた排水は、この処理機構部によって所定の処理がなされる。本発明では、槽構成体の所定の接合部において槽構成体同士が対向する位置に空間部が形成されている。この空間部は、槽構成体同士の接合を行う際に接着剤等を塗布する領域として用いられ、例えば対向する槽構成体に設けられた両フランジ部や、槽構成体の端部が互いに重なり合う箇所によって形成される。また、内装部材に突出部が設けられ、この突出部が空間部に嵌合するようになっている。図５に示す従来のように内装部材に突出部を有していない場合、空間部の容積を小さくするのには限界があるが、本発明の如く内装部材の突出部が空間部に嵌合する構成を用いることで突出部によって空間部の一部を埋め、空間部の容積を所望の大きさに抑えることができる。これにより、過剰な量の接着剤が使用されるのを極力回避することができる。また、内装部材の突出部を空間部に嵌合させるとともに、この空間部に接着剤を塗布することで、突出部による嵌合効果と接着剤による接着効果との協働によって、高い漏水防止効果を得ることができる。さらに、内装部材の突出部が空間部に嵌合する構成によって、内装部材を槽構成体に対し所定の位置に位置決めすることができ、内装部材の位置調節および位置確認を容易かつ確実に行うことが可能となる。従って、請求項１に記載した排水処理装置によれば、排水処理槽の内部に仕切壁部材を合理的に取付けることが可能となる。
【０００６】
ここで、請求項１に記載の突出部は、所定断面における断面幅が先端側へ向けて縮小された形状を有する構成であるのが好ましい。ここでいう所定断面には、突出部の突出方向に関する縦断面や横断面等がある。従って、この突出部は、例えば縦断面と横断面の両方について断面幅が先端側へ向けて縮小された形状や、縦断面と横断面の両方について断面幅が先端側へ向けて縮小された形状を有する。突出部のこのような構成によれば、内装部材を取付ける際に空間部に突出部を嵌合させ易く、内装部材の位置調節および位置確認を更に容易に行うことが可能となる。
【０００７】
本発明における内装部材の取付け方法では、槽構成体の所定の接合部において、内装部材に、槽構成体同士が対向する位置に形成される空間部に嵌合可能な突出部を設ける。そして、内装部材の突出部を空間部に嵌合させるとともに、この空間部に接着剤を塗布する。この接着剤および突出部によって空間部が埋められ、これにより漏水の発生が防止されることとなる。そして、内装部材はリベット等の固定手段を介して排水処理槽側に固定される。このように、内装部材を排水処理槽側に取付ける。内装部材の突出部を空間部に嵌合させる方法を用いることで空間部の容積を所望の大きさに抑えることができ、従って過剰な量の接着剤が使用されるのを極力回避することができる。また、内装部材の突出部を空間部に嵌合させるとともに、この空間部に接着剤を塗布する方法を用いることで、突出部による嵌合効果と接着剤による接着効果との協働によって、高い漏水防止効果を得ることができる。さらには、内装部材の突出部が空間部に嵌合する構成によって、内装部材を槽構成体に対し所定の位置に位置決めすることができ、内装部材の位置調節および位置確認を容易かつ確実に行うことが可能となる。従って、この排水処理装置における内装部材の取付け方法によれば、排水処理槽の内部に内装部材を合理的に取付けることが可能となる。
【０００８】
【発明の実施の形態】
以下に、本実施の形態の排水処理装置の構成を図面に基づいて説明する。ここで、図１は本実施の形態の排水処理装置１００の外観を示す斜視図である。図２は図１中のＡ−Ａ線断面矢視図である。図３は図２中の仕切壁部材１６０を部分的に示す斜視図である。図４は図２中のＢ−Ｂ線断面矢視図である。
【０００９】
図１に示すように、本実施の形態の排水処理装置１００は、排水処理槽１１０の内部に所定の排水処理機構を内蔵する。この排水処理槽１１０は、いずれも槽状に形成された上槽１２０および下槽１３０によって構成されている。すなわち、上槽１２０の上槽フランジ部１２２と、下槽１３０の下槽フランジ部１３２とを互いに重ね合わせ、これらフランジ部を所定の接着剤によって接合することで、排水処理槽１１０が組立てられることとなる。また、上槽１２０には上槽壁部１２１から槽内方へ突出する補強用の上槽補強リブ１２４，１２５，１２６が形成され、下槽１３０には下槽壁部１３１から槽内方へ突出する補強用の下槽補強リブ１３４，１３５，１３６が形成されている。この上槽１２０および下槽１３０が本発明における槽構成体に対応している。
【００１０】
上槽１２０の外面には、例えば一般家庭から排出された家庭用排水を排水処理槽１１０へ受入れるための流入管１０１、槽内で浄化処理された処理水を排水処理槽１１０から放流するための放流管１０２、槽内の内部点検等に用いられるマンホール１５０が設けられている。流入管１０１から受入れられた排水は、排水処理槽１１０内の所定の排水処理機構によって連続的に浄化処理されたのち、放流管１０２から放流されるようになっている。
【００１１】
上槽１２０および下槽１３０によって排水処理槽１１０が組立てられた状態では、上槽補強リブ１２４と下槽補強リブ１３４、上槽補強リブ１２５と下槽補強リブ１３５、上槽補強リブ１２６と下槽補強リブ１３６が互いに対向するようになっている。このように上槽１２０と下槽１３０の両方に補強リブを設けたうえで、これら上槽補強リブ１２４，１２５，１２６と下槽補強リブ１３４，１３５，１３６の各々が上下に重なるように構成したため、例えば上槽１２０あるいは下槽１３０の一方にのみ補強リブを設ける場合に比して、排水処理槽１１０自体の補強強度が高まる。
【００１２】
図２に示すように、排水処理槽１１０の内面には上槽壁部１２１および下槽壁部１３１にわたって複数（本実施の形態では２つ）の仕切壁部材１６０が取付けられている。この仕切壁部材１６０は、排水処理槽１１０を複数の領域（本実施の形態では３つの領域）に仕切る構成になっている。仕切壁部材１６０によって仕切られた領域には、例えば排水中の夾雑物、油分、泡沫などを分離する分離機構、嫌気性微生物や好気性微生物を用いて生物処理を行う生物処理機構、消毒機構等が設けられている。また、この仕切壁部材１６０には、アングル部材、配管類、バルブ類、計器類等の各種の部材が適宜取付けられるようになっている。なお、この仕切壁部材１６０が本発明における内装部材に対応している。
【００１３】
図３に示すように、仕切壁部材１６０は、その両端を折り返した形状の折返し部１６１を備える。この折返し部１６１には、傾斜部１６１ａおよび水平部１６１ｂが形成され、これらが仕切壁部材１６０の取付時に排水処理槽１１０の内面に対向する。また、傾斜部１６１ａおよび水平部１６１ｂには、折返し部１６１から側方へ突出する突出部１６２が設けられている。この突出部１６２は、その突出方向に関する縦断面における断面幅ｄが先端側へ向けて縮小されたテーパー形状になっている。なお、本実施の形態では傾斜部１６１ａおよび水平部１６１ｂにわたって突出部１６２を設けているが、この突出部１６２を傾斜部１６１ａおよび水平部１６１ｂのいずれか一方のみに設けてもよい。
【００１４】
図４に示すように、上槽フランジ部１２２と下槽フランジ部１３２が重なり合う箇所（本発明における「槽構成体同士が対向する位置」を構成する）に空間部１７０が形成される。この空間部１７０に仕切壁部材１６０の突出部１６２が嵌合するようになっている。すなわち、本実施の形態では、仕切壁部材１６０のうち空間部１７０に対応した位置に、空間部１７０に対応した形状の突出部１６２が設置されている。空間部１７０は、仕切壁部材１６０の取付け時に上槽フランジ部１２２と下槽フランジ部１３２との接着に用いる接着剤Ｃが塗布される領域となる。仕切壁部材１６０が排水処理槽１１０内に取付けられた状態では、仕切壁部材１６０の突出部１６２が空間部１７０に嵌合する。この空間部１７０は、接着剤Ｃおよび突出部１６２によって埋められているため漏水の発生が防止されることとなる。なお、上槽フランジ部１２２と上槽壁部１２１との境界部分、および下槽フランジ部１３２と下槽壁部１３１との境界部分はいずれもＲ形状になっており、テーパー形状の突出部１６２はこのＲ形状との係合性が良い。
【００１５】
仕切壁部材１６０を排水処理槽１１０内に取付ける際は、まず、仕切壁部材１６０を下槽１３０に固定する。ここでは、下槽壁部１３１の折返し部１６１に対応した位置に接着剤Ｃを塗布したうえで、仕切壁部材１６０を所定位置にセットする。これにより、仕切壁部材１６０を下槽１３０に接着する。このとき、下槽フランジ部１３２に対する突出部１６２の相対位置を調節することで、仕切壁部材１６０の取付け高さの確認を行う。そして、下槽壁部１３１と折返し部１６１とをリベットＲ１によって固定する。
【００１６】
次に、上槽１２０と仕切壁部材１６０との固定、および上槽１２０と下槽１３０との固定を行う。ここでは、上槽壁部１２１の折返し部１６１に対応した位置、および下槽フランジ部１３２に接着剤Ｃを塗布したうえで、上槽１２０を下槽１３０の上方から被せる。これにより、上槽１２０を下槽１３０および仕切壁部材１６０に接着する。そして、上槽壁部１２１と折返し部１６１とをリベットＲ２によって固定し、上槽フランジ部１２２と下槽フランジ部１３２とをリベットＲ３によって固定する。このように、本実施の形態では、上槽１２０と下槽１３０との接合にあわせて、これら上槽１２０および下槽１３０に対する仕切壁部材１６０の取付けを行う。
【００１７】
以上のように本実施の形態によれば、図５に示す従来のように内装部材に突出部を有していない場合、空間部の容積を小さくするのには限界があるが、本発明の如く仕切壁部材１６０の突出部１６２が空間部１７０に嵌合する構成を用いることで突出部１６２によって空間部１７０の一部を埋め、空間部１７０の容積を所望の大きさに抑えることができる。とりわけ、突出部１６２と上槽１２０および下槽１３０との対向位置に図５の従来技術に示す隙間２７１のような箇所が形成されるのを防止することができる。これにより、過剰な量の接着剤Ｃが使用されるのを極力回避することができる。また、仕切壁部材１６０の突出部１６２を空間部１７０に嵌合させるとともに、この空間部１７０に接着剤Ｃを塗布することで、突出部１６２による嵌合効果と接着剤Ｃによる接着効果との協働によって、高い漏水防止効果を得ることができる。さらに、仕切壁部材１６０の突出部１６２が空間部１７０に嵌合する構成によって、仕切壁部材１６０を上槽１２０および下槽１３０に対し所定の位置に位置決めすることができ、仕切壁部材１６０の位置調節および位置確認を容易かつ確実に行うことが可能となる。
また、本実施の形態によれば、突出部１６２は、その突出方向に関する縦断面について断面幅ｄが先端側へ向けて縮小されたテーパー形状であるため、下槽フランジ部１３２と下槽壁部１３１との境界部分のＲ形状との係合性が良く、仕切壁部材１６０の位置調節および位置確認を更に容易に行うことが可能となる。
【００１８】
〔他の実施の形態〕
なお、本発明は上記の実施の形態のみに限定されるものではなく、種々の応用や変形が考えられる。例えば、上記実施の形態を応用した次の各形態を実施することもできる。
【００１９】
（Ａ）上記実施の形態では、仕切壁部材１６０の突出部１６２を、その突出方向に関する縦断面について断面幅ｄが先端側へ向けて縮小されたテーパー形状としたが、この突出部１６２の形状、数等は必要に応じて種々変更可能である。
【００２０】
（Ｂ）また、上記実施の形態では、排水処理槽１１０を複数の領域に仕切る仕切壁部材１６０について記載したが、その他、排水処理槽内に装着される各種の部材の取付け技術に本発明を適用することもできる。
【００２１】
（Ｃ）また、上記実施の形態では、排水処理槽１１０を、いずれも槽状である２つの上槽１２０および下槽１３０によって構成する場合について記載したが、排水処理槽を形成する槽状体の数、形状、配置等はこれに限定されず、必要に応じて種々変更可能である。例えば、上槽１２０および下槽１３０の間に円筒状の中槽を挿入した構成の排水処理槽について本発明を適用することもできる。
【００２２】
【発明の効果】
以上説明したように、本発明によれば、排水処理槽内に排水を受け入れて処理する排水処理装置において、排水処理槽の内部に内装部材を合理的に取付けるのに有効な技術を実現することができる。
【図面の簡単な説明】
【図１】本実施の形態の排水処理装置１００の外観を示す斜視図である。
【図２】図１中のＡ−Ａ線断面矢視図である。
【図３】図２中の仕切壁部材１６０を部分的に示す斜視図である。
【図４】図２中のＢ−Ｂ線断面矢視図である。
【図５】従来の仕切壁部材２６０の取付構造を示す断面図である。
【符号の説明】
１００…排水処理装置
１１０…排水処理槽
１２０…上槽
１２１…上槽壁部
１２２…上槽フランジ部
１３０…下槽
１３１…下槽壁部
１３２…下槽フランジ部
１６０…仕切壁部材（内装部材）
１６１…折返し部
１６２…突出部
１７０…空間部
Ｃ…接着剤
【図１】
0003718182.tif 000002
【図２】
0003718182.tif 000003
【図３】
0003718182.tif 000004
【図４】
0003718182.tif 000005
【図５】
0003718182.tif 000006